(57)【要約】【課題】低消費電力で、かつ、洗濯物が傷まないような洗濯物乾燥できることを目的とする。【解決手段】外枠２内に、フレームを備え、前記フレーム上に、横流ファン３と、前記横流ファンを回転させるモータ４と、風向風速制御装置５とを備え、前記外枠２の上面に室内の空気を吸い込む吸込口６と、前記吸込口にフィルター１１を設け、前記外枠２の前面下部に前記室内の空気を吸い込んだ空気を吹き出す前記風向風速制御装置５を備えた吹出口７を設け、前記外枠２内の前記吹出口７の付近に静電霧化装置１２を備える送風装置であって、前記フィルター１１は取っ手部１４が前面に見える構造であることを特徴とした送風装置を提供する。【選択図】図１
2011149653.tif 000002
【特許請求の範囲】
【請求項１】
外枠内に、フレームを備え、前記フレーム上に、横流ファンと、前記横流ファンを回転させるモータと、風向風速制御装置とを備え、前記外枠の上面に室内の空気を吸い込む吸込口と、前記吸込口にフィルターを設け、前記外枠の前面下部に前記室内の空気を吸い込んだ空気を吹き出す前記風向風速制御装置を備えた吹出口を設け、前記外枠内の前記吹出口の付近に静電霧化装置を備える送風装置であって、前記フィルターは取っ手部が前面に見える構造であることを特徴とした送風装置。
【請求項２】
外枠の内側に溝を構成するレールを備え、フレームにリブを備え、前記溝と前記リブによってフィルターの位置が決まることを特徴とした請求項１に記載の送風装置。
【請求項３】
リブを複数設けることを特徴とした請求項１または２に記載の送風装置。
【請求項４】
フィルターと外枠の固定を行うツメを複数備え、１つのツメを大小２種類で構成することを特徴とした請求項１〜３のいずれかに記載の送風装置。
【請求項５】
フィルター外周のＲが大きいことを特徴とした請求項１〜４のいずれかに記載の送風装置。
【請求項６】
フィルターを複数個備えることを特徴とした請求項１〜５のいずれかに記載の送風装置。
【請求項７】
複数個のフィルターが同形状であることを特徴とした請求項６に記載の送風装置。
【請求項８】
フィルターのメッシュがフィルター枠の厚みの中央より下側に寄っていることを特徴とした請求項１〜７のいずれかに記載の送風装置。
【請求項９】
取っ手部のくぼみの形状がＲの大きい曲面であることを特徴とした請求項１〜８のいずれかに記載の送風装置。
【請求項１０】
フィルターの取っ手部の幅が広いことを特徴とした請求項１〜９のいずれかに記載の送風装置。
【請求項１１】
送風装置を一定時間運転すると、運転ランプが点滅することを特徴とした請求項１〜１０のいずれかに記載の送風装置。
【請求項１２】
送風装置を一定時間運転すると、フィルターが自動で少し飛び出すことを特徴とした、請求項１〜１１のいずれかに記載の送風装置。
【請求項１３】
フィルターが活性炭フィルターであることを特徴とした請求項１〜１２のいずれかに記載の送風装置。
【請求項１４】
フィルターがＨＥＰＡフィルターであることを特徴とした請求項１〜１２のいずれかに記載の送風装置。
【請求項１５】
取っ手部がフィルター面より突出していることを特徴とした請求項１〜１４のいずれかに記載の送風装置。
【請求項１６】
吸込口の格子とフィルター格子のピッチが同じであることを特徴とした請求項１〜１５のいずれかに記載の送風装置。
【請求項１７】
フィルター枠がヒンジ構造を備え、ヒンジ部分でメッシュを挟み固定することを特徴とした請求項１〜１６のいずれかに記載の送風装置。
【発明の詳細な説明】
【技術分野】
【０００１】
本発明は、洗濯物等を乾燥させることができる送風装置に関する。
【背景技術】
【０００２】
従来、この種の送風装置は、排気口を有する本体ケースと、室内内の空気を吸い込むための吸込口と、吸い込んだ空気を室内内にもどす吹出口とを有する本体パネルとを備えて箱状に形成され、本体ケースの内部には、吸込口から空気を吸引して送風するための送風手段と、送風ファンからの空気の送風方向を排気口や吹出口に切り換えるためのダンパーと、送風ファンが吸い込んだ空気を暖める加熱手段とを備えたものが知られている。（例えば、特許文献１参照）。また、洗濯物を乾燥させる場合、洗濯物に対して加熱、送風を行うことにより、より短時間で洗濯物が乾燥する。しかしその際、熱源を用いることで多量のエネルギーを消費することが問題になっている。屋内で洗濯物を乾燥させる家庭では、例えば朝に洗濯物を干して出勤し夕方まで放置しておく、あるいは夜に洗濯物を干して就寝し朝まで放置しておくといったように、洗濯物が長時間放置される場合が多い。この場合必ずしも短時間で洗濯物を乾燥させる必要はなく、むしろある程度の時間をかけてもよいので省エネルギーに洗濯物を乾燥させたいというニーズがある。
【０００３】
以下、従来の送風装置について図５を参照しながら説明する。
【０００４】
図５に示すように、本体は、本体ケース１０１と、吸込口１０２と吹出口１０３とを有する本体パネル１０４とにより箱状に形成される。本体ケース１０１は、側面に排気口１０５を有し、内部に送風手段としての送風機１０７と、加熱手段としてのヒーター１０９と、送風機１０７が送風する空気の風路を切り換えるダンパー１１０を備える。本体ケース１０１には、さらにダンパー１１０の動作を制御する制御手段（図示せず）を備える。
【０００５】
従来の送風装置を室内の天井面１１３に設置して乾燥運転を行うと、送風機１０７が運転され、室内内の空気が吸込口１０２から吸引される。送風機１０７により吸引送風される空気は、ダンパー１１０によって仕切られた吹出口１０３と連通する風路において、ヒーター１０９によって暖められ、この暖められた空気は吹出口１０３から室内へと戻される。またダンパー１１０は吹出口１０３と排気口１０５に同時に送風機１０７から供給される位置に開いており、吹出口１０３と排気口１０５より空気を送風することとなる。そして暖められた空気の循環を繰り返すことにより、室内内につりさげた洗濯物等を乾燥することができる。
【先行技術文献】
【特許文献】
【０００６】
【特許文献１】特開平１０−３２８４９４号公報
【発明の概要】
【発明が解決しようとする課題】
【０００７】
特許文献１に例示されるような従来の送風装置では、室内のほこり等を吸込口から送風機に取り込み、吹出口から室内へ噴出されるため、本体内部にほこりが蓄積し性能低下、お手入れ性の悪化、更には洗濯物へのほこりの付着という課題がある。
【０００８】
本発明は、このような従来の課題を解決するものであり、フィルターの取っ手が見えるため、フィルターの位置が確認しやすく、外し易いという送風装置を提供することを目的とする。
【課題を解決するための手段】
【０００９】
そして、この目的を達成するために、本発明は、外枠内に、フレームを備え、フレーム上に、横流ファンと、横流ファンを回転させるモータと、風向風速制御装置とを備え、外枠の上面に室内の空気を吸い込む吸込口と、吸込口にフィルターを設け、外枠の前面下部に室内の空気を吸い込んだ空気を吹き出す風向風速制御装置を備えた吹出口を設け、外枠内の吹出口の付近に静電霧化装置を備える送風装置であって、前記フィルターは取っ手部が前面に見える構造であることを特徴としたものであり、これにより所期の目的を達成するものである。
【発明の効果】
【００１０】
本発明によれば、フィルターの取っ手が見えるため、フィルターの位置が確認しやすく、外し易いという効果を得ることができる。
【図面の簡単な説明】
【００１１】
【図１】本発明の実施の形態１の送風装置を示す図（（ａ）斜視図、（ｂ）内部斜視図）
【図２】同送風装置のフィルター詳細断面図
【図３】本発明の実施の形態２の送風装置を示す斜視図
【図４】本発明の実施の形態３の送風装置のフィルターを示す側面図
【図５】従来の送風装置を示す断面図
【発明を実施するための形態】
【００１２】
本発明の請求項１記載の送風装置は、外枠内に、フレームを備え、前記フレーム上に、横流ファンと、前記横流ファンを回転させるモータと、風向風速制御装置とを備え、前記外枠の上面に室内の空気を吸い込む吸込口と、前記吸込口にフィルターを設け、前記外枠の前面下部に前記室内の空気を吸い込んだ空気を吹き出す前記風向風速制御装置を備えた吹出口を設け、前記外枠内の前記吹出口の付近に静電霧化装置を備える送風装置であって、前記フィルターは取っ手部が前面に見える構造であるという構成を有する。これにより、フィルターの取っ手が見えるため、フィルターの位置が確認しやすく、外し易いという効果を奏する。
【００１３】
また、外枠の内側に溝を構成するレールを備え、フレームにリブを備え、前記溝と前記リブによってフィルターの位置が決まるという構成にしてもよい。これにより、フィルターを両側から押える構造となるので、位置決めが確実に行われるという効果を奏する。
【００１４】
また、リブを複数設けるという構成にしてもよい。これにより、フィルターを複数個所で押える構造となるため、フィルターのたわみを防止することができるという効果を奏する。
【００１５】
また、フィルターと外枠の固定を行うツメを複数備え、１つのツメを大小２種類で構成するという構成にしても良い。これにより、大小２種のかん合によりフィルターと外枠が固定されるため、フィルターの落下を２重で防止することができるという効果を奏する。
【００１６】
また、フィルター外周のＲが大きいという構成にしてもよい。これにより、フィルターの人が触れる部分に鋭い角がない構造となるので、フィルターを取り外す際、痛くないという効果を奏する。
【００１７】
また、フィルターを複数個備えるという構成にしてもよい。これにより、フィルター１つあたりのサイズが小さくなるので、フィルターの掃除を容易に行うことができ、メンテナンス性が良くなるという効果を奏する。
【００１８】
また、複数個のフィルターが同じサイズであるという構成にしてもよい。これにより、フィルターが１種類となるので、フィルターの付け間違いが起こることがないという効果を奏する。
【００１９】
また、フィルターのメッシュがフィルター枠の厚みの中央より下側に寄っているという構成にしてもよい。これにより、メッシュ上側の外枠の格子とフィルター間に隙間ができるので、フィルターを取り外すときにホコリが外枠の格子によりそぎ落とされないという効果を奏する。
【００２０】
また、取っ手部のくぼみの形状がＲの大きい曲面であるという構成にしてもよい。これにより、取っ手部のくぼみにエッジがない構造となるので、くぼみに溜まるホコリが掃除しやすくなるという効果を奏する。
【００２１】
また、フィルターの取っ手部の幅が広いという構成にしてもよい。これにより、手で掴める部分が幅広くなるので、フィルター取っ手部を掴みやすく、フィルターを取り外しやすいという効果を奏する。
【００２２】
また、送風装置を一定時間運転すると、フィルターが自動で少し飛び出すという構成にしてもよい。これにより、送風装置が一定時間運転され、フィルターに一定以上のゴミ、塵埃等が溜まった時点で、フィルターが手前に出ることで、フィルターの掃除時期が明確になるという効果を奏する。
【００２３】
また、送風装置を一定時間運転すると、運転ランプが点滅するという構成にしてもよい。これにより、送風装置が一定時間運転され、フィルターに一定以上のゴミ、塵埃等が溜まった時点で、運転ランプが点滅することで、フィルターの掃除時期が明確になるという効果を奏する。
【００２４】
また、フィルターが活性炭フィルターであるこという構成にしてもよい。これにより、送風装置によって空気を循環させると、活性炭による効果により、脱臭、除菌を行うことができるという効果を奏する。
【００２５】
また、フィルターがＨＥＰＡフィルターであるという構成にしてもよい。これにより、送風装置によって空気を循環させると、より細かな空気中のごみ、塵埃等を回収することができるので、空気を清浄化できるという効果を奏する。
【００２６】
また、取っ手部がフィルター面より突出しているという構成にしてもよい。これにより、送風装置を天井面に設置した際、ホコリ落下時に突出した取っ手がホコリ受けになるため、ので、ホコリが室内へ落下しない構造となるという効果を奏する。
【００２７】
また、吸込口の格子とフィルター格子のピッチが同じであるという構成にしてもよい。これにより、吸込口の開口面積を減らすことなく格子を設けることができるので、吸込み風量を落とすことなく、格子により強度が強くなり、格子位置が合致することでデザイン性が良いという効果を奏する。
【００２８】
また、フィルター枠がヒンジ構造を備え、ヒンジ部分でメッシュを挟み固定するという構成にしてもよい。これにより、フィルターのメッシュ部分のみの交換が可能であるので、フィルターのメッシュの目の細かさを変更でき、フィルターを低コストに交換することができるという効果を奏する。
【００２９】
以下、本発明の実施の形態について、図面を参照しながら説明する。
【００３０】
（実施の形態１）
図１（ａ）は、本発明の送風装置１の斜視図、図１（ｂ）は同送風装置の内部斜視図を示している。
【００３１】
図において、外枠２内に、フレーム１３を備え、フレーム１３上に横流ファン３と、横流ファン３を回転させるモータ４と、風向風速制御装置５とを備えた送風装置１であって、外枠２の上面に室内の空気を吸い込む吸込口６と、外枠２の前面に室内の空気を吸い込んだ空気を吹き出す風向風速制御装置５を備えた吹出口７を設け、風向風速制御装置５により室内の洗濯物に吸い込んだ空気を吹き当てる構成とする。また、吸込口６に同形状のフィルター１１を２個備え、外枠２内の吹出口７の付近に静電霧化装置１２を設ける構成とする。また、フィルター１１は取っ手部１４が前面に見える構成となっている。
【００３２】
また、図２にフィルター詳細断面図を示す。図に示すように、外枠２の吸込口６の内側に溝８を形成するレール９が形成され、フレーム１３に複数のリブ１０を備え、溝８とリブ１０によってフィルター１１の位置が決まる構成となっている。
【００３３】
また、フィルター１１と外枠２の固定を行うツメ１６を複数備え、１つのツメを大小２種類で構成している。
【００３４】
また、フィルター１１外周のＲが大きい構成となっている。
【００３５】
また、フィルター１１のメッシュ１１ａがフィルター枠の厚みの中央より下側に寄っている構成となっている。図２に示したように、メッシュ１１ａがリブ１０側へ寄っており、外枠２との間に隙間がある。
【００３６】
また、取っ手部１４のくぼみの形状がＲの大きい曲面である構成となっている。
【００３７】
また、フィルター１１の取っ手部１４の幅が広い構成となっている。
【００３８】
また、送風装置１を一定時間運転すると、運転ランプ１５が点滅する構成となっている。ここで、一定時間とは、送風装置１を動作させ、フィルター１１にゴミ、塵埃等が溜まり、フィルター１１のお手入れ、取り替えが必要となる時間である。
【００３９】
また、フィルター１１を活性炭フィルターとする構成としても良い。
【００４０】
また、フィルター１１をＨＥＰＡフィルターとする構成としても良い。
【００４１】
また、吸込口６の格子とフィルター１１の格子のピッチが同じである構成となっている。
【００４２】
上記構成により、モータ４で横流ファン３を回転させることにより、外枠２の上面の吸込口６からフィルター１１を通して室内の空気を吸い込み、吸い込んだ空気を外枠２の前面下部すなわち室内側に設けた風向風速制御装置５を備えた吹出口７から室内へ吹き出し、風向風速制御装置５により室内の洗濯物に吸い込んだ空気を吹き当てる。このとき、洗濯物表面の水分の剥離や、洗濯物周辺の湿気を吹き飛ばす効果により、洗濯物を乾燥させることができる。
【００４３】
このように本発明の実施の形態１の送風装置１によれば、フィルター１１の取っ手が見えるため、フィルター１１の位置が確認しやすく、外し易いこととなる。図１（ｂ）は送風装置１を壁面に取り付けた状態であるが、天井に取り付けた場合も、外枠２の前面は視界に入るため、フィルター１１の取っ手位置が見える状態であるため、壁面取り付け、天井取り付けのどちらの場合もフィルター１１が外し易い構造となっている。
【００４４】
また、図２に示したように、溝８とリブ１０を用いてフィルター１１を両側から押える構造となるため、位置決めが確実に行われることとなる。
【００４５】
また、フィルター１１を複数個所で押える構造となるため、フィルター１１のたわみを防止することができることとなる。
【００４６】
また、２種の大きさのツメ１６によって、大小２種のかん合によりフィルター１１と外枠が固定されるため、フィルター１１の落下を２重で防止することができることとなる。
【００４７】
また、フィルター１１の外周のＲ寸法が大きく、フィルター１１の人が触れる部分に鋭い角がない構造とすることで、フィルター１１を取り外す際、痛みを伴わないこととなる。
【００４８】
また、フィルター１１を２つに分け、フィルター１１の１つあたりのサイズが小さくすることで、フィルター１１の掃除を容易に行うことができ、メンテナンス性が良くなることとなる。
【００４９】
また、２つのフィルター１１を同形状とし、フィルター１１を１種類とすることで、フィルター１１の付け間違いが起こることがないこととなる。
【００５０】
また、メッシュ１１ａをフィルター枠の厚みの中央より下側に寄せ、メッシュ上側の外枠２の格子とフィルター１１間に隙間を設けることで、フィルター１１を取り外すときに外枠２の格子によりホコリがそぎ落とされないこととなる。
【００５１】
また、取っ手部１４のくぼみにエッジがない構造とすることで、くぼみに溜まるホコリが角に詰まることがなく、掃除しやすくなることとなる。
【００５２】
また、手で掴める部分を幅広くすることで、フィルター１１の取っ手部１４を掴みやすく、フィルター１１を取り外しやすいこととなる。
【００５３】
また、送風装置１が一定時間運転され、フィルター１１に一定以上のゴミ、塵埃等が溜まった時点で、運転ランプ１５が点滅することで、フィルター１１の掃除時期が明確になることとなる。
【００５４】
また、フィルター１１を活性炭フィルターとすることで、送風装置１によって空気を循環させると活性炭の効果により、空気の脱臭、除菌を行うことができる。
【００５５】
また、フィルター１１をＨＥＰＡフィルターとすることで、より細かい空気中のごみ、塵埃等を回収することができ、空気中の細かいゴミ、塵埃等をより確実に回収することができる。
【００５６】
また、吸込口６の開口面積を減らすことなく格子を設けることで、吸込み風量を落とすことなく、格子により強度が強くなり、格子位置が合致することでデザイン性が良いこととなる。
【００５７】
（実施の形態２）
図３において、図１および図２と同様の構成要素については同一の符号を付し、その詳細な説明は省略する。
【００５８】
図３は本発明の実施の形態２の送風装置１の斜視図を示し、一定時間動作後にフィルター１１が自動で少し飛び出す構成となっている。ここで、一定時間とは、送風装置１を動作させ、フィルター１１にゴミ、塵埃等が溜まり、フィルター１１のお手入れ、取り替えが必要となる時間である。
【００５９】
上記構成において、送風装置１が一定時間運転され、フィルター１１に一定以上のゴミ、塵埃等が溜まった時点で、フィルター１１が手前に出ることとなるため、フィルター１１の掃除時期が明確になる。
【００６０】
（実施の形態３）
図４において、図１および図２と同様の構成要素については同一の符号を付し、その詳細な説明は省略する。
【００６１】
図４は本発明の実施の形態３のフィルター１１の側面図を示し、フィルター１１の枠がヒンジ構造により開く構造であり、開く枠の間にメッシュ１１ａを挟み固定する構成となっている。メッシュ１１ａは様々な種類のものに交換することが可能である。
【００６２】
また、取っ手部１４がフィルター１１面より突出している構成となっている。
【００６３】
上記構成において、フィルター１１のメッシュ１１ａ部分のみの交換が可能であるため、フィルター１１のメッシュ１１ａの目の細かさを変更でき、フィルター１１を低コストに交換することができる。
【００６４】
また、送風装置１を天井面に取り付けたとき、フィルター１１をはずす際、万が一ホコリが落下してもフィルター１１面より突出している取っ手部１４がホコリ受けになるため、ホコリが室内へ落下しない構造となることとなる。
【産業上の利用可能性】
【００６５】
本発明の送風装置は、室内に吊るした大量の洗濯物等に対して乾燥時間を短縮し、乾燥むらを防止する効果を有することから、洗濯乾燥室や、サウナ、サンルーム等にも適用することができる。
【符号の説明】
【００６６】
１      送風装置
２      外枠
３      横流ファン
４      モータ
５      風向風速制御装置
６      吸込口
７      吹出口
８      溝
９      レール
１０    リブ
１１    フィルター
１１ａ  メッシュ
１２    静電霧化装置
１３    フレーム
１４    取っ手部
１５    運転ランプ
１６    ツメ
【図１】
2011149653.tif 000003
【図２】
2011149653.tif 000004
【図３】
2011149653.tif 000005
【図４】
2011149653.tif 000006
【図５】
2011149653.tif 000007